(57)【要約】【目的】  多くの紙等のシート状の破砕対象物を容易にカットすることができるハンディタイプのシュレッダーを提供することを目的としている。【構成】  手で把持した状態で紙等のシート状の破砕対象物２００に押し付けてスライドさせ、破砕対象物２００をカットするシュレッダー１００であって、複数枚の円形の刃部１１０と、これらの刃部１１０を支持する支持部材１２０と、この支持部材１２０が回転自在に取り付けられ、手で把持可能なサイズのシュレッダー本体部１３０とを備えている。【選択図】      図１
2009112567.tif 000002
【特許請求の範囲】
【請求項１】
手で把持した状態でシート状の破砕対象物に押し付けてスライドさせ、破砕対象物をカットするシュレッダーにおいて、複数枚の円形の刃部と、これらの刃部を支持する支持部材と、この支持部材が回転自在に取り付けられ、手で把持可能なサイズのシュレッダー本体部とを具備したことを特徴とするシュレッダー。
【請求項２】
前記刃部は、一定の間隔を有して前記支持部材に支持されていることを特徴とする請求項１記載のシュレッダー。
【請求項３】
前記刃部の切断可能部は、縁部がウエーブ状に形成されていることを特徴とする請求項１又は２記載のシュレッダー。
【請求項４】
前記シュレッダー本体部には、刃部に対応したスリット状の開口部が設けられており、前記刃部は一部がこの開口部から露出していることを特徴とする請求項１、２又は３記載のシュレッダー。
【請求項５】
前記シュレッダー本体部は、支持部材に沿って回動し、シュレッダー本体部から露出している刃部を覆い隠す開閉可能なカバーが設けられていることを特徴とする請求項１、２又は３記載のシュレッダー。
【発明の詳細な説明】
【技術分野】
【０００１】
本発明は、紙等のシート状の破砕対象物に押し付けてカットするシュレッダーに関する。
【背景技術】
【０００２】
個人情報保護の観点からシュレッダーがオフィス以外の家庭でも数多く用いられるようになっている。
しかし、一般的なシュレッダーは、破断した紙片を収納するダストボックスがあるため、サイズが大きくなりがちである。
そのため、特開２００７−２０３００３に示すような複数の刃を平行に設けた鋏タイプのシュレッダーがある。
【０００３】
【特許文献１】特開２００７−２０３００３
【発明の開示】
【発明が解決しようとする課題】
【０００４】
しかしながら、この種の鋏タイプのものでは、一度に破断する紙の量が多いと、かなりの握力が要求されるため、実際には同時に１〜２枚の紙しか破断できないという問題があった。
【０００５】
本発明は、上記事情に鑑みて創案されたもので、多くの紙等のシート状の破砕対象物を容易にカットすることができるハンディタイプのシュレッダーを提供することを目的としている。
【課題を解決するための手段】
【０００６】
本発明に係るシュレッダーは、手で把持した状態でシート状の破砕対象物に押し付けてスライドさせ、破砕対象物をカットするシュレッダーであって、複数枚の円形の刃部と、これらの刃部を支持する支持部材と、この支持部材が回転自在に取り付けられ、手で把持可能なサイズのシュレッダー本体部とを備えている。
【０００７】
前記刃部は、一定の間隔を有して前記支持部材に支持されている。
【０００８】
前記刃部の切断可能部は、縁部がウエーブ状に形成されている。
【０００９】
前記シュレッダー本体部には、刃部に対応したスリット状の開口部が設けられており、前記刃部は一部がこの開口部から露出している。
【００１０】
前記シュレッダー本体部は、支持部材に沿って回動し、シュレッダー本体部から露出している刃部を覆い隠す開閉可能なカバーが設けられている。
【発明の効果】
【００１１】
本発明に係るシュレッダーであると、紙等のシート状の破砕対象物を容易にカットすることができるし、ハンディタイプとすることが可能である。
【００１２】
また、前記スリット状の開口部やカバーを設けることにより、刃部の露出を少なくしたり、なくしたりすることができるので、安全性も高くすることができる。
【発明を実施するための最良の形態】
【００１３】
図１は本発明の実施の形態に係るシュレッダーの概略的一部破断斜視図、図２は本発明の実施の形態に係るシュレッダー刃部の概略的斜視図、図３は本発明の実施の形態に係るシュレッダーの刃部の概略的平面図、図４は本発明の実施の形態に係るシュレッダーの使用方法を示す概略的斜視図、図５は本発明の他の実施の形態に係るシュレッダーの概略的斜視図、図６は本発明の他の実施の形態に係るシュレッダーの概略的斜視図、図７は本発明のその他の実施の形態に係るシュレッダーの概略的断面図である。
【００１４】
本発明の実施の形態に係るシュレッダー１００は、図１に示すように、手で把持した状態で紙等のシート状の破砕対象物２００に押し付けてスライドさせ、破砕対象物２００をカットするシュレッダーであって、複数枚の円形の刃部１１０と、これらの刃部１１０を支持する支持部材１２０と、この支持部材１２０が回転自在に取り付けられ、手で把持可能なサイズのシュレッダー本体部１３０とを備えている。
【００１５】
まず、前記刃部１１０は、図２に示すように、円形の刃物であって、縁部がウエーブ状になっている。そして、中心には支持部材１２０が貫通する貫通孔１１３が開設されている。
【００１６】
また、この刃部１１０は、貫通孔１１３に棒状の支持部材１２０を挿入することで、支持部材１２０に取り付けられる。各刃部１１０の間には、一定厚の円形スペーサ１４０（図１参照）が介在されるため、各刃部１１０の間隔は円形スペーサ１４０の厚さに等しくなっている。なお、円形スペーサ１４０の半径は、刃部１１０の半径より小さく設定されていることはもちろんである。
【００１７】
また、前記シュレッダー本体部１３０は、シュレッダー１００を手で把持するためのもので、図１に示すように、略蒲鉾型のケースである。かかるシュレッダー本体部１３０は、合成樹脂や金属等から構成される。かかるシュレッダー本体部１３０は、、対向する平滑な壁面に支持部材１２０が回転可能に取り付けられている。そして、刃部１１０の大部分はシュレッダー本体部１３０の内側に位置し、一部のみでシュレッダー本体部１３０の外側に露出していることになる。
【００１８】
このように構成されたシュレッダー１００は、以下のように使用する。まず、カットすべき紙等のシート状の破砕対象物２００を平坦なゴム板や木板等の上に載置する。その上で、図４に示すように、シュレッダー１００の露出した刃部１１０を破砕対象物２００に押し付けて、シュレッダー本体部１００を把持しつつ破砕対象物２００に対して圧力を加えた状態で刃部１１０を回転させつつ移動（スライド）させる（図４矢印Ａ参照）。
【００１９】
なお、シュレッダー１００を破砕対象物２００に押し付ける際には、腕を破砕対象物に対して直角にし、体重を加えるようにすると、かなりの枚数の破砕対象物２００をカットできる。背景技術において例として挙げた鋏タイプのものより簡単に多くの枚数の破砕対象物２００をカットすることが可能である。
【００２０】
すると、刃部１１０により、破砕対象物２００にスリット２１０が形成され、その結果、破砕対象物２００が帯状にカットされる。しかも、そのカットされた破砕対象物２００は、刃部１１０がウエーブ状になっているため、カットされた縁部はウエーブ状になっている。このため、万が一、文字列に沿ってシュレッダー１００を移動させたとしても、文字列の行がウエーブ状にカットされ、カットされた破砕対象物２００からもとの破砕対象物２００の復元が困難になっている。
【００２１】
なお、刃部１１０はウエーブ状でなく、ギザギザ状になっているものであってもよいし、ストレート状のものであってもよい。ただし、ストレート状のものは、カットされた破砕対象物が復元されやすいので、文字列に沿った方向ではなく、文字列に対して直交する方向からカットしたほうがセキュリティーの面から安心である。
【００２２】
図５に示すように、シュレッダー本体部１３０にグリップ１５０を設けることも可能である。この場合、シュレッダー本体部１３０を把持することはないので、シュレッダー本体部１３０は必須のものではないが、シュレッダー本体部１３０を取り去ると、すべての刃部１１０が露出することになるので、シュレッダー本体部１３０を設けたほうが安全面からは望ましい。
【００２３】
上述したシュレッダー１００は、シュレッダー本体部１３０の裏面から刃部１１０が大きく露出しているが、図６に示すように、シュレッダー本体部１３０の裏面に底面部１３１を設けることもできる。
この底面部１３１は、刃部１１０に対応したスリット状の開口部１３２が設けられている。従って、刃部１１０は，一部がこの開口部１３２から露出していることになる。
刃部１１０が露出していることには代わりがないが、底面部１３１がない状態より露出の程度は格段に小さくなっているので、安全性は向上している。
【００２４】
また、前記底面部１３１は固定式であったが、前記支持部材１２０に沿って回動し、シュレッダー本体部１３０から露出している刃部１１０を覆い隠す開閉可能なカバー１４０をシュレッダー本体部１３０に設けることも可能である。
【００２５】
このカバー１４０は、シュレッダー本体部１３０を若干小さくした略蒲鉾状であって、シュレッダー本体部１３０の内側に入り込むことができ、かつ刃部１１０を覆い隠すことができる程度の大きさに設定されている。
【００２６】
かかるカバー１４０は、合成樹脂や金属等から構成される。このカバー１４０は、対向する平滑な壁面に開口（図示省略）が開設されており、この開口が支持部材１２０に回転可能に取り付けられている。従って、カバー１４０が図７（Ｂ）に示すように、外側に位置すればすべての刃部１１０を覆い隠した非使用状態となり、内側に位置すればすべての刃部１１０が露出した使用状態となる。
【００２７】
このカバー１４０であると、非使用状態では完全に刃部１１０を覆い隠すことができるので、非常に安全性が高くなっている。
【００２８】
上述したシュレッダー１００を１つの破砕対象物２００に異なった方向から２回以上スライドさせれば、破砕対象物２００は帯状ではなく、小さな切り屑状に破砕されるので、セキュリティーをより向上させることができる。
【図面の簡単な説明】
【００２９】
【図１】本発明の実施の形態に係るシュレッダーの概略的一部破断斜視図である。
【図２】本発明の実施の形態に係るシュレッダー刃部の概略的斜視図である。
【図３】本発明の実施の形態に係るシュレッダーの刃部の概略的平面図である。
【図４】本発明の実施の形態に係るシュレッダーの使用方法を示す概略的斜視図である。
【図５】本発明の他の実施の形態に係るシュレッダーの概略的斜視図である。
【図６】本発明の他の実施の形態に係るシュレッダーの概略的斜視図である。
【図７】本発明のその他の実施の形態に係るシュレッダーの概略的断面図である。
【符号の説明】
【００３０】
１００    シュレッダー
１１０    刃部
１２０    支持部材
１３０    シュレッダー本体部
２００    破砕対象物
【図１】
2009112567.tif 000003
【図２】
2009112567.tif 000004
【図３】
2009112567.tif 000005
【図４】
2009112567.tif 000006
【図５】
2009112567.tif 000007
【図６】
2009112567.tif 000008
【図７】
2009112567.tif 000009